(57)【要約】      （修正有）【課題】靴の表面と靴底を洗浄可能で、屋外から室内へ入る時に特に適している靴のクリーニング装置を提供する。【解決手段】装置本体１０、及び装置本体外部に設置する洗浄槽２０を備え、装置本体内にはエアコンプレッサー、水タンクを設置し、外部には高圧霧状水柱を噴射可能なジェット洗浄ユニット５０、高圧空気を噴射可能なブローイングユニット６０を設置し、使用者は、靴で洗浄槽２０上に上がり、先ずジェット洗浄ユニット５０を使用し、高圧霧状水柱を噴射して、靴外側の泥やホコリを洗い流し、次にブローイングユニット６０を使用し、靴外側の水滴を乾かし、靴外側のホコリや汚れを洗浄し、さらに乾かすことができる。【選択図】図１
0003185108.tif 000002
【実用新案登録請求の範囲】
【請求項１】
靴のクリーニング装置は、装置本体、及び前記装置本体外部に設置する洗浄槽を備え、
前記装置本体内には、エアコンプレッサー、水タンクを設置し、前記装置本体外部には、前記エアコンプレッサー及び前記水タンクに連接し、高圧霧状水柱を噴射可能なジェット洗浄ユニット、及び前記エアコンプレッサーに連接し、高圧空気を噴射可能なブローイングユニットを設置し、
使用者は、靴で前記洗浄槽上に上がり、前記ジェット洗浄ユニットを使用し、高圧霧状水柱を噴射して、靴外側の泥やホコリを洗い流し、次に、前記ブローイングユニットを使用し、靴外側の水滴を乾かすことを特徴とする靴のクリーニング装置。
【請求項２】
前記洗浄槽の頂点部は、開口状を呈し、前傾した槽口で、
前記槽口上には、網状頂点蓋を設置し、使用者が足を載せやすくし、
前記洗浄槽の槽体底部には、排水口を設置し、これにより汚水は、前記網状頂点蓋の穴から直接下に向かい、前記槽体中に集められ、前記槽体底部の排水口から排出されることを特徴とする請求項１に記載の靴のクリーニング装置。
【請求項３】
前記ジェット洗浄ユニットは、前記エアコンプレッサーに連接する第一パイプライン、前記水タンクに連接する第二パイプライン、及び前記第一パイプライン、前記第二パイプラインの反対端に設置する第一ジェットノズルヘッドを備え、
前記第一ジェットノズルヘッドは、前記第一、第二パイプラインを通して、高圧霧状水柱を噴射することを特徴とする請求項１に記載の靴のクリーニング装置。
【請求項４】
前記装置本体は外殻上にさらに、前記第一、第二パイプラインに連接する第一、第二パイプジョイントを設置することを特徴とする請求項３に記載の靴のクリーニング装置。
【請求項５】
前記ブローイングユニットは、前記エアコンプレッサーに連接する第三パイプライン、前記第三パイプラインの反対端に設置する第二ジェットノズルヘッドを備え、
前記第二ジェットノズルヘッドは、前記第三パイプラインを通して高圧空気を噴射することを特徴とする請求項１に記載の靴のクリーニング装置。
【請求項６】
前記装置本体は外殻上にさらに、前記第三パイプラインを連接する第三パイプジョイントを設置することを特徴とする請求項５に記載の靴のクリーニング装置。
【請求項７】
前記水タンクは、外部水源と連接し、前記水タンク内部には、前記水タンクへの進水量をコントロールするコントロールフロートを設置することを特徴とする請求項１に記載の靴のクリーニング装置。
【請求項８】
前記装置本体は外殻上は、前記エアコンプレッサーの空気取り入れ口位置に対応し、エアフィルター、及び前記装置本体の内外の空気を流通させる冷却軸流ファンを設置することを特徴とする請求項１に記載の靴のクリーニング装置。
【請求項９】
前記装置本体前方には、コントロールユニット、前記エアコンプレッサーの圧力を表示する圧力メーター、オーバーロードリレーを設置することを特徴とする請求項１に記載の靴のクリーニング装置。
【請求項１０】
前記装置本体両外側には、前記ジェット洗浄ユニット、前記ブローイングユニットをそれぞれ収納することができる定位フレームを設置することを特徴とする請求項１に記載の靴のクリーニング装置。
【請求項１１】
前記装置本体は後側に、取外し式の蓋板を設置し、前記装置本体内のエアコンプレッサー及び水タンクのメンテナンスの便を図ることを特徴とする請求項１に記載の靴のクリーニング装置。
【請求項１２】
前記装置本体底部には、複数のキャスターを設置することを特徴とする請求項１に記載の靴のクリーニング装置。
【考案の詳細な説明】
【技術分野】
【０００１】
本考案は靴のクリーニング装置に関し、特に靴表面、靴底面を洗浄後にファンで乾かすことができる靴のクリーニング装置に関する。
【背景技術】
【０００２】
多くの公共の場所では、入口の地面に、刷毛のついたマットを置いている。これにより、人が建物内に入る時、マットの刷毛が靴底についた汚れ、小石、砂粒などを取り除いてくれる。こうして、屋外の汚れが、靴底により屋内に持ち込まれることを防ぎ、屋内を清潔に保持することができる。しかし、マットは靴底のホコリなどの汚れをその上に簡単に付着させるだけであるため、その清掃効果は理想的とはいえない。しかも、汚れが長時間マット内に沈積しているため、次の使用者が通り、靴底を摩擦する時、ホコリは舞い上がり、空気中に飛散し易い。これでは、かえって、清掃にマイナスである。
【０００３】
建築現場を例とすると、現場内には必ず多くの砕けた石やコンクリート、泥などがあり、全体的にどろどろの状況である。そこでは、使用者がはいている作業靴は必ずひどく汚れている。使用者が、施工場所から、施工文書を置いている事務所などに入らなければならない時には、単純なマットでは、作業靴表面をきれいにすることができない。そのため、文書を汚してしまわないよう、事務所内に入るためには、先ず作業靴を洗浄しなければならない。
【０００４】
上記した靴を洗浄する動作において、一般には、水道の蛇口でそのまま洗浄している。しかし、蛇口の水圧は充分でないため、使用者は両手で補助する必要があり、非常に面倒である。しかも、洗浄後の作業靴は汚れが落ちただけで、作業靴表面には水滴が付着している。しかし、湿った作業靴で事務所に入れば、室内の床に泥の足跡が残り、文書の保存に悪影響を及ぼしてしまう。
【０００５】
当然、もし同時に、布材質マットなどの吸水性を備えたマットを使用すれば、靴底の水分を吸収してはくれるが、布材質マットは吸収した水分が多くなりすぎると、水分を完全に吸収することはできない。しかも、どんな種類のマットであろうと、靴表面上の水滴を吸収することはできないため、作業靴を真に乾燥した状態とすることはできない。本考案は、従来の靴洗浄の上記した欠点に鑑みてなされたものである。
【考案の概要】
【考案が解決しようとする課題】
【０００６】
本考案が解決しようとする課題は、霧状水柱を利用し、靴の表面と靴底を洗浄可能で、使用者が施工場所から事務所へ入るなど、屋外から室内へ入る時に靴を洗浄する際の使用に特に適している靴のクリーニング装置を提供することである。
【課題を解決するための手段】
【０００７】
上記課題を解決するため、本考案は下記の靴のクリーニング装置を提供する。
靴のクリーニング装置は、装置本体、及び該装置本体外部に設置する洗浄槽を備え、
該装置本体内には、エアコンプレッサー、水タンクを設置し、該装置本体外部には、高圧霧状水柱を噴射可能なジェット洗浄ユニット、高圧空気を噴射可能なブローイングユニットを設置し、
使用者は、靴で該洗浄槽上に上がり、先ず、該ジェット洗浄ユニットを使用し、高圧霧状水柱を噴射して、靴外側の泥やホコリを洗い流し、次に、該ブローイングユニットを使用し、靴外側の水滴を乾かし、こうして、靴外側上のホコリ、汚れをきれいに落とすことができ、
該ジェット洗浄ユニットの実施時には、該エアコンプレッサーに連接する第一パイプライン、該水タンクに連接する第二パイプライン、及び該第一パイプライン、該第二パイプラインの反対端に設置する第一ジェットノズルヘッドを備え、該第一ジェットノズルヘッドが、該第一パイプラインを通して、高圧空気を噴射する時、その高速に流れる空気は、該第二パイプラインに対して負圧を生じ、さらに、該第二パイプラインを通して、該水タンクより清潔な水を吸い取り、こうして高圧霧状水柱を生じて、靴外側を洗浄することができ、
該ブローイングユニットの実施時には、該エアコンプレッサーに連接する第三パイプライン、該第三パイプラインの反対端に設置する第二ジェットノズルヘッドを備え、これにより、該第二ジェットノズルヘッドは、該第三パイプラインを通して高圧空気を噴射することができ、
使用者が靴で洗浄槽上に上がると、先ず、該ジェット洗浄ユニットを使用し、高圧霧状水柱を噴出し、靴外側の泥汚れやホコリを洗浄後、次に、該ブローイングユニットを使用し、靴外側の水滴を吹き飛ばして乾燥させ、こうして、靴外部のホコリ、汚れはきれいになり、
該洗浄槽の実施時には、その頂点部は、開口状を呈する前傾した槽口で、該槽口上には、網状頂点蓋を設置し、使用者が足を載せやすくし、該洗浄槽の槽体底部には、排水口を設置し、該ジェット洗浄ユニット、該ブローイングユニットを使用し、該網状頂点蓋上の靴をクリーニングする時には、汚水は、該網状頂点蓋の穴から直接下に向かい、槽体中に集められ、該槽体底部の排水口から排出され、
該水タンクの実施時には、外部水源と連接し、該水タンク内部には、該水タンクへの進水量をコントロールするコントロールフロートを設置し、これにより該水タンク内の貯水量が低下すると、外部の水源から自動的に水を取り込むことができ、しかも該コントロールフロートは、貯水量が上がり満タンになると、該水タンクを制御して進水を停止させることができ、
該装置本体の実施時には、該装置本体の外殻上には、該エアコンプレッサーの空気取り入れ口位置に対応し、エアフィルター、及び該装置本体の内外の空気を流通させる冷却軸流ファンを設置し、
該エアコンプレッサーが運転すると、該エアフィルターは先ず空気中のホコリをろ過するため、こうして該エアコンプレッサーの損壊を回避することができ、また、該冷却軸流ファンにより、該エアコンプレッサーの作動で発生する熱を排出することができ、
この他、該装置本体は外殻上にさらに、該ジェット洗浄ユニットの第一、第二パイプラインに連接する第一、第二パイプジョイント、及び該ブローイングユニットの第三パイプラインを連接する第三パイプジョイント、該装置本体両外側にそれぞれ設置し、該ジェット洗浄ユニット、該ブローイングユニットをそれぞれ収納することができる定位フレーム、外殻後側に位置する蓋板を設置し、
該装置本体前方には、コントロールユニット、該エアコンプレッサーの圧力を表示する圧力メーター、オーバーロードリレーを設置し、該コントロールユニット、該オーバーロードリレーは、防水機能は備えないため、靴洗浄時に水が入らないよう注意しなければならず、
該コントロールユニットにより、該エアコンプレッサー、該冷却軸流ファンの運転をコントロールし、実施時には、該コントロールユニット内部には、インジケーターを設置することができ、該コントロールユニットを起動すると、該インジケーターは常に点灯状態を維持し、
該蓋板は取外し式であるため、該装置本体内のエアコンプレッサー及び水タンクのメンテナンスに便利で、
該装置本体の移動の便を図るため、該装置本体底部には、複数のキャスターを設置することができる。
【考案の効果】
【０００８】
本考案の靴のクリーニング装置は、先ず高圧霧状水柱を利用し、靴表面と靴底を洗浄し、外側のホコリ、汚れ、泥をジェット洗浄することができるばかりか、ジェット洗浄後に残る水滴をブローイングユニットを使用して風力で吹き飛ばして乾燥させることができるため、室内の床に泥水の足跡が着くことを防止でき、室内環境を清潔に保つことができる。
【図面の簡単な説明】
【０００９】
【図１】本考案の外観立体図である。
【図２】本考案の立体分解模式図である。
【図３】本考案装置本体の側面構造立模式図である。
【図４】本考案ジェット洗浄ユニットの使用状態を示す模式図である。
【図５】本考案ブローイングユニットの使用状態を示す模式図である。
【考案を実施するための形態】
【００１０】
以下に図面を参照しながら本考案を実施するための最良の形態について詳細に説明する。
【実施例】
【００１１】
図１、２に示すように、本考案靴のクリーニング装置は、装置本体１０、及び装置本体１０外部に設置する洗浄槽２０を備える。装置本体１０内には、エアコンプレッサー３０、水タンク４０を設置する。装置本体１０外部には、高圧霧状水柱を噴射可能なジェット洗浄ユニット５０、高圧空気を噴射可能なブローイングユニット６０を設置する。使用者は、靴で洗浄槽２０上に上がり、先ず、ジェット洗浄ユニット５０を使用し、高圧霧状水柱を噴射して、靴外側の泥やホコリを洗い流し、次に、ブローイングユニット６０を使用し、靴外側の水滴を乾かす。こうして、靴外側上のホコリ、汚れをきれいに落とすことができ、使用者が施工場所から事務所へ入る時など、屋外から室内へ入る時の靴清掃時の使用に特に適している。
【００１２】
ジェット洗浄ユニット５０の実施時には、エアコンプレッサー３０に連接する第一パイプライン５１、水タンク４０に連接する第二パイプライン５２、及び第一パイプライン５１、第二パイプライン５２の反対端に設置する第一ジェットノズルヘッド５３を備える。第一ジェットノズルヘッド５３が、第一パイプライン５１を通して、高圧空気を噴射する時、その高速に流れる空気は、第二パイプライン５２に対して負圧を生じる。さらに、第二パイプライン５２を通して、水タンク４０より清潔な水を吸い取り、こうして高圧霧状水柱を生じて、靴外側を洗浄することができる。
【００１３】
ブローイングユニット６０の実施時には、エアコンプレッサー３０に連接する第三パイプライン６１、第三パイプライン６１の反対端に設置する第二ジェットノズルヘッド６２を備える。これにより、第二ジェットノズルヘッド６２は、第三パイプライン６１を通して高圧空気を噴射することができる。図４、５に示すように、使用者が靴で洗浄槽上に上がると、先ず、ジェット洗浄ユニット５０を使用し、高圧霧状水柱を噴出し、靴外側の泥汚れやホコリを洗浄後、次に、ブローイングユニット６０を使用し、靴外側の水滴を吹き飛ばして乾燥させる。こうして、靴外部のホコリ、汚れはきれいになる。
【００１４】
図２に示すように、洗浄槽２０の実施時には、その頂点部は、開口状を呈する前傾した槽口２１である。槽口２１上には、網状頂点蓋２２を設置し、使用者が足を載せやすくする。洗浄槽２０の槽体２３底部には、排水口２４を設置する。ジェット洗浄ユニット５０、ブローイングユニット６０を使用し、網状頂点蓋２２上の靴をクリーニングする時には、汚水は、網状頂点蓋２２の穴から直接下に向かい、槽体２３中に集められ、槽体２３底部の排水口２４から排出される。
【００１５】
水タンク４０の実施時には、外部水源と連接し、水タンク４０内部には、水タンク４０への進水量をコントロールするコントロールフロート４１を設置する。これにより、水タンク４０内の貯水量が低下すると、外部の水源から自動的に水を取り込むことができ、しかもコントロールフロート４１は、貯水量が上がり満タンになると、水タンク４０を制御して進水を停止させることができる。
【００１６】
図２、３に示すように、装置本体１０の実施時には、装置本体１０の外殻上には、エアコンプレッサー３０の空気取り入れ口位置に対応し、エアフィルター１１、及び装置本体１０の内外の空気を流通させる冷却軸流ファン１２を設置する。エアコンプレッサー３０が運転すると、エアフィルター１１は先ず空気中のホコリをろ過するため、こうしてエアコンプレッサー３０の損壊を回避することができる。また、冷却軸流ファン１２により、エアコンプレッサー３０の作動で発生する熱を排出することができる。
【００１７】
この他、装置本体１０は外殻上にさらに、ジェット洗浄ユニット５０の第一、第二パイプライン５１、５２に連接する第一、第二パイプジョイント１３、１４、及びブローイングユニット６０の第三パイプライン６１を連接する第三パイプジョイント１５、装置本体１０両外側にそれぞれ設置し、ジェット洗浄ユニット５０、ブローイングユニット６０をそれぞれ収納することができる定位フレーム、外殻後側に位置する蓋板１７を設置する。装置本体１０前方には、コントロールユニット１８、エアコンプレッサー３０の圧力を表示する圧力メーター１８１、オーバーロードリレー１８２を設置する。コントロールユニット１８、オーバーロードリレー１８２は、防水機能は備えないため、靴洗浄時に水が入らないよう注意しなければならない。
【００１８】
コントロールユニット１８により、エアコンプレッサー３０、冷却軸流ファン１２の運転をコントロールする。実施時には、コントロールユニット１８内部には、インジケーターを設置することができ、コントロールユニット１８を起動すると、インジケーターは常に点灯状態を維持する。蓋板１７は取外し式であるため、装置本体１０内のエアコンプレッサー３０及び水タンク４０のメンテナンスに便利である。装置本体１０の移動の便を図るため、装置本体１０底部には、複数のキャスター１９を設置することができる。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２１】
１０  装置本体
１１  エアフィルター
１２  冷却軸流ファン
１３  第一パイプジョイント
１４  第二パイプジョイント
１５  第三パイプジョイント
１６  定位フレーム
１７  蓋板
１８  コントロールユニット
１８１  圧力メーター
１８２  オーバーロードリレー
１９  キャスター
２０  洗浄槽
２１  槽口
２２  網状頂点蓋
２３  槽体
２４  排水口
３０  エアコンプレッサー
４０  水タンク
４１  コントロールフロート
５０  ジェット洗浄ユニット
５１  第一パイプライン
５２  第二パイプライン
５３  第一ジェットノズルヘッド
６０  ブローイングユニット
６１  第三パイプライン
６２  第二ジェットノズルヘッド
【図１】
0003185108.tif 000003
【図２】
0003185108.tif 000004
【図３】
0003185108.tif 000005
【図４】
0003185108.tif 000006
【図５】
0003185108.tif 000007